(57)【特許請求の範囲】
【請求項１】
合成樹脂等の弾性変形可能な材料からなる略長方形をした平板状の小片を係合可能な一対の雄型と雌型を形成して、前記雄型と雌型により接ぎ木苗の接合部を挟んで係合せしめて保持する接合具であって、
前記雄型は、その内側面の四隅近くに雌型に係合する係合突起を設けて、中央面に短辺方向の苗木挟持用の凹溝を設けると共に該凹溝の内周面に複数の突条を形成して、また、その外側面の短辺の一つの側縁部に沿って突条片を設けて形成されており、
前記雌型は、その内側面の四隅近くに雄型の係合突起が係合する係合孔を設けて、短辺方向の中央面に前記雄型の凹溝と対応した苗木挟持用の凹溝を設けると共に該凹溝内周面に複数の突条を形成して、また、その外側面の短辺の一つの側縁部に沿って突条片を設けて形成されていることを特徴とする接ぎ木苗を接合、保持する接合具。
【請求項２】
前記雄型には、その外側面に両短辺側縁部の内側寄に浅い凹部を設けられてなることを特徴とする請求項１に記載する接ぎ木苗を接合、保持する接合具。
【発明の詳細な説明】
【０００１】
【産業上の利用分野】
本発明は、茄子や胡瓜等の各種の果菜類の苗木を接ぎ木により生産するに際して、台木苗と穂木苗との接合部を挟着して保持する接ぎ木接合具、特に、接ぎ木するための色々な装置や自動接ぎ木装置等を用いて台木苗と穂木苗とを接合して接ぎ木苗を生産する各種の装置に連続的に供給して、前記台木苗と穂木苗との接合部を自動的に挟着して保持するのに適した接合具に関するものである。
【０００２】
【従来の技術】
従来から行われてきた苗木の接ぎ木は、ほとんどが手作業により苗木となる穂木と台木とを適当な位置で切断してから、穂木と台木を接合せしめて生産されていた。
例えば、特開平３−５８７１８号公報や実開平４−６５３０号公報等に見るように、穂木と台木との接合部を保持するには、テープ状をしたクリップや弾性筒状体を用いて一本ずつ丁寧に巻くようにして固定していたので、多くの熟練者を必要とした。
ところが近年になって、各種の果菜類の栽培技術の進歩に伴って、これらの温室栽培が行われるようになると、土壌菌による各種の病害や連作障害の発生の防止が望まれるようになって、対病性に強い苗についての研究が一段となされた結果、接木による大量の苗の生産が行われるようになり、接ぎ木苗の生産が手作業から接ぎ木装置を用いた機械により行われるようになってきた。
【０００３】
こうした接ぎ木装置を用いた機械による苗木の生産において、切断された穂木と台木とを接合した部分を保持するには、特開平３−６１４２９号や特開平４−１９０７１７号公報に見るように洗濯挟み状をしたクリップを接合具として用いて、接合部を挟み付けて固定していた。
しかし、上記したような洗濯挟み状のクリップを用いて接ぎ木装置により苗木の接合して保持するには、クリップをカセットに装填しておいてから接合部に供給してやらなければならず、供給ホッパーに投入したものを自動的に整列させて順次接合部に供給することはできないし、また、苗木の接合部を挟んで固定するクリップは金属バネを用いて挟み付けるので、苗木の成長につれて簡単に外れて落下しないなど色々と不都合を生じて、満足できるのではない。
【０００４】
【発明が解決しようとする課題】
本願発明は、上述した従来の問題点を解決するために創案されたもので、苗木の接合部を保持する接合具を、苗木の生育を阻害することないように形成すると共に、穂木と台木との接合部を簡単に、且つ、正確に保持することができるような形状に形成して、接ぎ木した後には、苗木の成長につれて苗木から自然に脱落可能に構造に形成する。
そして、更に、接ぎ木装置を用いた苗木の生産に於いて、台木苗及び穂木苗を所定の位置で切断して、切断された両切断面を正確に接合せしめた後に、接合した接合部を保持して固定する接ぎ木装置に於いて、供給ホッパーに投入された前記接合具を、接合、固定部へ自動的に送給しつつ整列せしめることができて、正確な姿勢で苗木の接合部を簡単に保持することができる接ぎ木装置を用いた苗木の生産に適した接合具を提供することを目的とする。
【０００５】
【課題を解決するための手段】
本願の発明は、台木苗と穂木苗とを接合した苗木の接合部を保持して固定する接合具を、合成樹脂等の弾性変形可能な材料を用いて略長方形をした平板状の係合可能な雄型と雌型に成形して、前記雄型と雌型により苗木の接合部を両側から挟んで保持可能に構成する。
そして、前記雄型は、略長方形をした平板状の小片に成形して、内側面の四隅近くに雌型に係合する係合突起を設けて、中央面に短辺方向の苗木挟持用の溝を設けると共に該溝の内周面に複数の突条を形成して、更に、該小片の外側面の短辺の一つの側縁部に沿って整列、位置決めとなる突条片を設けると共に、両短辺側縁部の内側寄に浅い凹部を設けた構造に形成する。
また、前記雌型は、略長方形をした平板状の小片に成形して、内側面の四隅近くに雄型の係合突起が係合する係合孔を貫通して設けて、短辺方向の中央面に前記雄型の溝と対応した苗木挟持用の溝を設けると共に該溝内周面に複数の突条を形成して、更に、該小片の外側面の短辺の一つの側縁部に沿って整列、位置決めとなる突条片を設けた構造に形成する。
【０００６】
【実施例】
本発明の一つの実施例について、以下に図面を参照しつつ説明する。
本願発明の接合具１０は、合成樹脂等のやや柔軟性を有する材料から成形されたもので、図１及び図２に示すように、略長方形をした板状の小片からなる雄型２０と雌型３０とを係合せしめることにより、接ぎ木苗を挟着して保持するように構成される。
前記した雄型２０は、熱可塑性合成樹脂の射出成形により略長方形の平板状をした小片に成形されて、図１に示すように、平板状小片の内側面には、四つの隅部近くに４本の係合突起２１が形成されると共に、中央部には短辺方向の苗木挟持用の凹溝２２が形成されて、該凹溝の内周面に滑り止めまたは抜け止めの突条が複数本設けられて、また、平板状小片の外側面には、短辺側縁に沿って前後の向きを検出するリブ状の突条２４が形成されると共に、両短辺側縁の中央の内側寄りに位置決め用の一対の凹部が形成される。
【０００７】
また、前記雌型３０は、同様にして略長方形の平板状をした小片に成形されて、図２に示すように、内側面の四隅近くに前記雄型の突起２１に係合する係合孔３１が貫通して形成されると共に、短辺方向の中央部には前記雄型の溝２２と対応した苗木挟持用の凹溝３２が形成されて、該凹溝の内周面には滑り止めまたは抜け止めの複数本の突条３３が設けられて、また、平板状小片の外側面には短辺側縁に沿って前後方向を検出するための突条３４が形成される。
【０００８】
上記のように形成された本願発明の接合具１０を用いて接ぎ木苗を接合、保持するには、出願人が既に特許第２９２８７８３号に提案しているようにすればよいが、模式的に図３に示してみると、把持装置２０１等において把持して切断された台木４０ｂと穂木４０ａとの切断面が、接合装置により合着された状態の接合部４０ｃに対して、両側から雄型２０と雌型３０とを向かい合わせにして圧着して係合せしめることにより、雌型の係合孔３１に雄型の係合突起２１が係合して、苗木挟持用の凹溝２２，３２に苗木の接合部４０ｃを保持した状態で固定することができる接合具１０が構成される。
【０００９】
実際に自動接木装置に本願発明の接合具１０を適用して苗木を接合する場合には、図５に示すように、台木用ターンテーブルの把持装置２０１に把持された台木部分に図６に見るようなフィーダー７からシュート７１２を介して雄型２０を供給して、雄型の台木挟持用の凹溝内に台木を保持した状態になると同時に、穂木用ターンテーブルの把持装置に把持された穂木部分に雌型３０を供給されて、雌型の穂木挟持用の凹溝内に穂木を保持した状態になると、自動的にシリンダー２９，３９が作動して、雄型２０と雌型３０を押圧して前進させるので、雄型と雌型とは係合して苗木の接合部４０ｃを保持した状態にして固定されるようになっている。
【００１０】
上記のように形成した本願発明は、台木４０ａと穂木４０ｂの接合部４０ｃを接合具１０である雄型２０と雌型３０のそれぞれの苗木挟持用の溝２２，３２内に保持するので、苗木を挟持位置に確実に位置決めできて、茎を傷めることもないし、また、木苗の接合部を挟持した場合には、溝の内周面に形成した複数の突条が苗木の茎表面に引っ掛かって、抜けることがなくて接合率が非常に高い。
また、外面には短辺側の一隅面に突条２４，３４を形成したことにより、接合具の雄型２０と雌型３０を供給ホッパー７から接合位置へ自動供給する際に、雄型２０および雌型３０の外表面にリブ状の突条２４，３４を設けてあるので、前後左右等の供給方向の判別を容易にすることができるので、正しい向きにして接合位置の押し出しシリンダーに供給することができて、確実に結合することができる。
尚、上記接合具は、台木側の雄型をやや硬質の材料で、穂木側の雌型をやや軟質材料で形成するのが好ましいが、ポリプロピレン、ポリエチレン等の熱可塑性合成樹脂に限らず、各種の樹脂やその他の材料で形成することも可能である。
【００１１】
上記のように形成された本願発明の接合具を用いた接合方法について簡単に説明すると、概略を図１および図２に示すように  本発明の装置の主要部を支持する架台１内には、本装置を作動させるモータＭが内蔵されていて、該モータは架台１の下部の両側に設けられた足踏みペダルＰによりスイッチが導通するように設けられている。
台木苗用ターンテーブル２０１と穂木苗用ターンテーブル３０１とは、適当な間隔を設けて、それぞれ架台１上面に設置されたインデックス１０４，１０５に軸支されており、両インデックスは架台）内に設けられたモータＭにより同期して間歇的または連続的に回転するようになっている。
この回転動作は、前記足踏みペダルＰを踏むことによりスイッチが入って作動するようになっている。
【００１２】
同一の架台１上に向かい合うようにして台木用と穂木用の二つのターンテーブル２，３が同期して回転するように設けられて、前記二つのターンテーブル上にはそれぞれ４箇所に苗木把持装置２０１，３０１が設けられると共に、前記のそれぞれのターンテーブル上方には接合具の雄型２０と雌型３０を供給する供給ホッパー７が設けられた接木装置を形成して、合成樹脂等の弾性変形可能な材料を用いて略長方形の平板状に形成した係合可能な雄型２０と雌型３０を、前記供給ホッパー７に充填、投入して自動接木装置を構成する。
【００１３】
前記のように構成された自動接木装置の台木用ターンテーブル２に於いて、把持部である第一ステーションで台木苗を供給して、把持装置２０１により苗木の片葉と茎部とを把持して固定した後、切断部である第二ステーションに移動して、テーブル外側に苗木把持装置２０１と対向して設けられた切断装置により苗木の本葉と成長点部分を切断除去して、接合部である第三ステーションに移動せしめる。
【００１４】
前記台木用ターンテーブルと同期する穂木用テーブルに於いて、把持部である第一ステーションで穂木苗を供給して、把持装置により苗木の両葉と二箇所の茎部とを把持して固定した後、切断部である第二ステーションに移動して、テーブル外側に苗木把持装置と対向して設けられた切断装置により苗木を把持する二箇所の茎部の中間を切断して、接合部である第三ステーションに移動せしめる。
【００１５】
そして、接合部である第三ステーションで対向させた台木と穂木の切断面を密着可能に対向せしめてから、供給ホッパー７から自動的に送り出される前記雄型２０と雌型３０の接合具を整列しつつ方向決めを行って連続的に接合部へ送給して、雄型の溝に台木を、雌型の溝に穂木を位置せしめてから接合装置により雄型２０と雌型３０を押圧して、雄型の突起を雌型の係合孔に係合せしめて接合部を保持して固定してから、排出部である第四ステーションに移動せしめて、接合された接木苗をベルトコンベア上に排出して移送される。
【００２３】
上記した接ぎ木装置においては、架台上に立設した支柱上に接合具の雄型と雌型を接合位置に供給するためのパーツフィーダ７を載置した形式にして、該パーツフィーダ内に結合具の部品を装填して供給するようにしたが、パーツフィーダは架台上に設けずに、別の位置に設けることも可能である。
また、装填される部品は、フィーダの微振動により搬送しながら整列及び方向位置決めをして、シュート内へ連続的に給送するようにしたが、振動による整列に変えて別の整列手段を用いることも可能である。
【００２４】
【発明の効果】
以上説明したように、接木装置に於いて、本発明の接合具を用いて切断した台木苗と穂木苗を接合せしめて、簡単に且つ確実に接合、固定できるので、省力的で、誰でも容易に接木苗を生産することができる。
【図面の簡単な説明】
【図１】  本願発明の接合具の雄型の内面と外面を示す斜視図である。
【図２】  本願発明の接合具の雌型の内面と外面を示す斜視図である。
【図３】  本願発明の接合具を用いて台木と穂木とを接合する模式図である。
【図４】  本願発明の接合具を用いた接木装置の一つを示す正面図である。
【図５】  図６に示す接木装置の平面図である。
【図６】  図６に示す接木装置において接合具の供給装置を示す側面図である。
【符号の説明】
１．  架台
２．  ターンテーブル（台木）
３．  ターンテーブル（穂木）
７．  フィーダー
１０．接合具
２０．雄型
２４．突条
３０．雌型
３４．突条
４０ａ．穂木
４０ｂ．台木
【図１】
0003733380.tif 000002
【図２】
0003733380.tif 000003
【図３】
0003733380.tif 000004
【図４】
0003733380.tif 000005
【図５】
0003733380.tif 000006
【図６】
0003733380.tif 000007